(57)【要約】      （修正有）【課題】簡単に表示装置の種類を判別し、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）情報に相当する情報を元に表示装置の初期化を実行する、情報処理装置、情報処理装置の制御方法及びプログラムを提供する。【解決手段】表示手段の情報に応じて定められた表示手段の状態を設定する設定情報を装置外から取得する手段と、取得した設定情報に基づいて表示手段の状態を設定する手段と、を含む。ＥＤＩＤ情報に相当する情報を保持していない表示装置であっても、予め複数格納された設定情報又は直近に取得したＥＤＩＤ情報に相当する情報に基づいて表示装置の初期化を実行する。【選択図】図４
2016100713.tif 000002
【特許請求の範囲】
【請求項１】
表示手段の情報に応じて定められた前記表示手段の状態を設定する設定情報を装置外から取得する手段と、
前記取得した設定情報に基づいて前記表示手段の状態を設定する手段と、
を含むことを特徴とする情報処理装置。
【請求項２】
前記装置外には、前記表示手段の情報と前記情報に応じた設定情報とが予め複数格納されており、ユーザからの指示による前記設定情報の選択に応じて、前記表示手段の状態を切り替える手段をさらに含むことを特徴とする請求項１に記載の情報処理装置。
【請求項３】
前記設定情報のうち、直近に取得した設定情報を保持する手段をさらに含むことを特徴とする請求項１又は２に記載の情報処理装置。
【請求項４】
前記設定情報を前記装置外から取得できない場合、前記直近に取得した設定情報に基づいて前記表示手段の状態を設定することを特徴とする請求項３に記載の情報処理装置。
【請求項５】
前記装置外には、前記表示装置の情報と前記情報に応じて定められた設定情報とが書き換え可能に格納されており、前記装置外に前記設定情報が格納されていないとき、前記直近に取得した設定情報に基づいて前記表示手段の状態を設定することを特徴とする請求項３又は４に記載の情報処理装置。
【請求項６】
前記直近に取得した設定情報が保持されていないとき、ユーザに対して警告を行う手段をさらに含むことを特徴とする請求項３から５の何れか１項に記載の情報処理装置。
【請求項７】
表示手段の情報に応じて定められた前記表示手段の状態を設定する設定情報を装置外から取得する工程と、
前記取得する工程によって取得された設定情報に基づいて前記表示手段の状態を設定する工程と、
を含むことを特徴とする情報処理装置の制御方法。
【請求項８】
情報処理装置のコンピュータに、
表示手段の情報に応じて定められた前記表示手段の状態を設定する設定情報を装置外から取得する処理と、
前記取得する処理によって取得された設定情報に基づいて前記表示手段の状態を設定する処理と、
を実行させるためのプログラム。
【発明の詳細な説明】
【技術分野】
【０００１】
本発明は、情報処理装置、情報処理装置の制御方法、及びプログラムに関する。
【背景技術】
【０００２】
ＭＦＰ（多機能周辺装置：Multifunctional Peripheral）の操作部を一例とする表示装置を初期化する際、ＶＥＳＡ（Video Electronics Standards Association）によって定められたＥＤＩＤ（Extended Display Identification Data）情報により表示装置を判別している。ここで、ＥＤＩＤとは、パーソナルコンピュータやワークステーション等のビデオ周辺機器に関する業界標準化団体であるＶＥＳＡが、ディスプレイの性能を制御装置に伝えるためのデータ構造として標準規格化し公開しているものである。
【０００３】
このＥＤＩＤ情報には、そのディスプレイに対応する表示タイミング（解像度）や表示サイズ等のデータが格納されており、制御装置は、この表示装置自身のＥＤＩＤ情報を取得して、接続されたディスプレイに対する適切な設定を行うことが既に知られている。
【０００４】
特許文献１には、電子機器に接続されたディスプレイのＥＤＩＤ情報の一部しか電子機器が取得できなくても、そのディスプレイに対応する適切な初期化が行われる技術が開示されている。
【発明の概要】
【発明が解決しようとする課題】
【０００５】
しかしながら、特注品等の特殊な表示装置に対しては、対応するＥＤＩＤ情報が存在しない場合がある。そうすると、ＥＤＩＤ情報を使用して表示装置を判別することができないことになる。この課題を解決するため、表示装置の初期化を実行する制御装置に、当該特殊な表示装置を判別するための手段を別途新たに設けなければならないという問題があった。
【０００６】
また、特許文献１に開示された技術では、ＥＤＩＤ情報に完全に依存することなく、表示装置に対する適切な初期化が行われているが、そもそもＥＤＩＤ情報が定義されていない表示装置に対しては、別途新たに、当該表示装置の種類を判別するための手段が必要となるという課題は依然として解決されていない。
【０００７】
そこで、本発明は、上記従来技術の問題点に鑑みてなされたものであって、特殊な表示装置のようにＥＤＩＤ情報に相当する情報を保持していない表示装置であっても、簡単に表示装置の種類等の情報を判別し、ＥＤＩＤ情報に相当する情報に基づいて表示装置の初期化を実行することが可能な情報処理装置を提供することを目的とする。
【課題を解決するための手段】
【０００８】
上記課題を解決するため、請求項１に記載の本発明における情報処理装置は、表示手段の情報に応じて定められた前記表示手段の状態を設定する設定情報を装置外から取得する手段と、前記取得した設定情報に基づいて前記表示手段の状態を設定する手段と、を含むことを特徴とする。
【発明の効果】
【０００９】
本発明によれば、ＥＤＩＤ情報に相当する情報を保持していない表示装置であっても、簡単に表示装置の種類等の情報を判別し、ＥＤＩＤ情報に相当する情報に基づいて表示装置の初期化を実行することが可能な情報処理装置を得ることができる。
【図面の簡単な説明】
【００１０】
【図１】本実施形態に係る情報処理装置及び情報処理装置に表示部及び外部メディアを接続した場合の全体構成の概要について説明するブロック図である。
【図２】情報処理装置において、特殊な表示装置に対応するＥＤＩＤ情報が存在せず、コントローラが表示装置の初期化を実行することができない状態を示す図である。
【図３】情報処理装置において、特殊な表示装置に対応するＥＤＩＤ情報に相当する情報を特定しＢＩＯＳに記憶することにより、コントローラが表示装置の初期化を実行する状態を示す図である。
【図４】外部メディアに表示装置の情報と表示装置のＥＤＩＤ情報に相当する情報とを記憶することにより、コントローラが表示装置の初期化を実行する状態を示す図である。
【図５】外部メディアに複数の表示装置にそれぞれ対応する複数のＥＤＩＤ情報に相当する情報を記憶しておき、初期化時にユーザに対して解像度を設定させる画面を表示する状態を示す図である。
【図６】本実施形態の情報処理装置の動作について説明するフロー図である。
【発明を実施するための形態】
【００１１】
次に、本発明を実施するための形態について図面を参照して詳細に説明する。なお、各図中、同一又は相当する部分には同一の符号を付しており、その重複説明は適宜に簡略化乃至省略する。以下、本実施形態について説明するが、本実施形態は、以下に説明する実施形態に限定されるものではない。なお、以下に説明する実施形態は、情報処理装置として、コントローラに２台の表示装置が接続されている例について説明しているが、コントローラに接続される表示装置は、３台以上であっても良い。
【００１２】
本発明は、表示装置を初期化するに際し、一般的な表示装置に格納されているＥＤＩＤ情報を一例とする表示装置の状態を設定する設定情報を、情報処理装置の装置外に設けられた記憶媒体に保持しておく。そして、ＥＤＩＤ情報を格納することができない特殊な表示装置についても、何ら特別な手段を設けることなく、汎用的な表示装置を初期化するプログラムを用いて初期化処理を実行することが特徴となっている。この本発明の特徴について、以下の図面を用いて具体的に説明する。
【００１３】
まず、本実施形態に係る情報処理装置及び情報処理装置に表示部及び外部メディアを接続した場合の全体構成の概要について説明する。図１は、本実施形態に係る情報処理装置及び情報処理装置に表示部及び外部メディアを接続した場合の全体構成の概要について説明するブロック図である。
【００１４】
図１において、パーソナルコンピュータを一例とする情報処理装置１００は、ＢＩＯＳ（Basic Input Output System）１０４を内蔵するコントローラ（制御部）１０１と、バス１５７を介して他の機能ブロックが接続されている。バス１５７には、ＨＤＤ（Hard Disk Drive）１５１と、ＲＯＭ（Read Only Memory）１５２と、ＲＡＭ（Random Access Memory）１５３とが接続されている。また、バス１５７には、操作部１５４と表示部１５５とが接続されている。さらに、バス１５７には、後述する表示部１０２（１０２ａ、１０２ｂ、・・・、１０２ｎ）及び外部メディア１０７（１０７ａ、１０７ｂ、１０７ｃ、・・・、１０７ｎ）を接続するための拡張ボード１５６が接続されている。
【００１５】
操作部１５４は、情報処理装置１００に対して命令を入力する入力部として機能するものである。表示部１５５は、コントローラ（制御部）１０１によって実行された演算結果を表示するものである。なお、表示部１５５は、一例としてＬＣＤ（Liquid Crystal Display）で構成されており、操作部１５４と表示部１５５との機能を兼用するタッチパネルを採用しても良い。
【００１６】
ＨＤＤ１５１は、情報処理装置１００が実行するアプリケーションプログラムを格納する。また、ＲＯＭ１５２は、コントローラ（制御部）１０１が実行するプログラムを格納する。さらに、ＲＡＭ１５３は、コントローラ（制御部）１０１によって実行されるアプリケーションプログラムの演算結果の記憶領域として用いられる。
【００１７】
拡張ボード１５６は、情報処理装置１００の外部に表示部１０２（１０２ａ、１０２ｂ、・・・、１０２ｎ）及び外部メディア１０７（１０７ａ、１０７ｂ、１０７ｃ、・・・、１０７ｎ）を接続するインタフェースとして機能する。なお、図１に示すように、表示部１０２及び外部メディア１０７は、複数台、拡張ボード１５６を介して情報処理装置１００に接続することが可能である。
【００１８】
コントローラ（制御部）１０１は、情報処理装置１００全体の動作を制御するものである。ＢＩＯＳ１０４は、情報処理装置１００に接続される周辺機器を制御するプログラム群（モジュール）であり、コントローラ（制御部）１０１の内部の記憶領域に格納されている。
【００１９】
次に、本実施形態の具体的内容について説明する前に、表示装置を初期化する従来の技術に関して若干説明する。表示装置を初期化する場合、上述したようにＥＤＩＤ情報と呼ばれるＶＥＳＡで規格化された情報を利用することが一般的に行われている。そして、このＥＤＩＤ情報には、解像度や画面サイズ等のデータが含まれており、このＥＤＩＤ情報を、初期化を実行する制御モジュールが読み出すことにより、適切な初期化を実行している。以後の説明において、初期化を実行する制御モジュールとしてＢＩＯＳを具体例に挙げて説明する。ただし、ＢＩＯＳは一例であって、必ずしもＢＩＯＳである必要はなく、デバイスドライバ等によって初期化を実行しても良い。
【００２０】
一方、特殊な表示装置は、独自の解像度や画面サイズを有しているため、ＥＤＩＤ情報が規定されていない場合が多い。特殊な表示装置からはＥＤＩＤ情報を取得することができないため、ＥＤＩＤ情報を読み取ることを前提とするＢＩＯＳでは、初期化を実行することができないという問題がある。この点について、図２を用いて説明する。
【００２１】
図２は、情報処理装置において、特殊な表示装置に対応するＥＤＩＤ情報が存在せず、コントローラが表示装置の初期化を実行することができない状態を示す図である。図２において、表示部Ａを有する汎用品である表示装置１０３ａと、表示部Ｂを有する特殊品である表示装置１０３ｂとに対して、コントローラ１０１が初期化を実行する。コントローラ１０１のＢＩＯＳ１０４は、表示装置１０３ａに対してＥＤＩＤ情報を要求する（ステップＳ１１）。すると、表示装置１０３ａからＢＩＯＳ１０４に対してＥＤＩＤ情報の応答がなされる（ステップＳ１２）。これにより、ＢＩＯＳ１０４は、表示装置１０３ａの初期化を実行することができる。
【００２２】
次に、コントローラ１０１のＢＩＯＳ１０４は、表示装置１０３ｂに対してＥＤＩＤ情報を要求する（ステップＳ１３）。しかしながら、表示装置１０３ｂは特殊品であることから、ＥＤＩＤ情報が存在しない。すなわち、表示装置１０３ｂにはＥＤＩＤ情報が定義されていないため、ＢＩＯＳ１０４に対して応答することができない（ステップＳ１４）。したがって、ＢＩＯＳ１０４は、表示装置１０３ｂの初期化を実行することができない。
【００２３】
図２に示したように、ＢＩＯＳ１０４が、表示装置１０３ｂの初期化を実行可能にする方法として、以下の方法が一般的に行われている。この点について、図３を用いて説明する。図３は、情報処理装置において、特殊な表示装置に対応するＥＤＩＤ情報に相当する情報を特定しＢＩＯＳに記憶することにより、コントローラが表示装置の初期化を実行する状態を示す図である。
【００２４】
図３では、ＢＩＯＳ１０４の中に、初期化を実行することが予め定められている特殊品である表示部ＢのＥＤＩＤ情報に相当する情報１０５を予め保持しておく。そして、表示装置１０３ｂの初期化を実行する際、ＢＩＯＳ１０４は、予め保持している表示部ＢのＥＤＩＤ情報に相当する情報１０５に基づいて、表示装置１０３ｂの初期化を実行する（ステップＳ１６）。
【００２５】
ただし、ＢＩＯＳ１０４は、表示部Ａを有する汎用品である表示装置１０３ａのＥＤＩＤ情報を保持していないので、表示装置１０３ａに対して初期化を実行することはできない（ステップＳ１５）。すなわち、図３に示す方法では、予め定められた特定の表示装置に対してのみ初期化を実行することは可能であるが、コントローラ１０１に対して複数の表示装置が接続された場合には、対応することができないという問題がある。
【００２６】
このような問題を解決するため、ＥＤＩＤ情報に相当する情報を、コントローラ１０１の外部に設けられた記憶媒体に格納し、当該格納されたＥＤＩＤ情報に相当する情報を用いて表示装置の初期化を実行する。この点について図４を用いて説明する。図４は、外部メディアに表示装置の情報と表示装置のＥＤＩＤ情報に相当する情報とを記憶することにより、コントローラが表示装置の初期化を実行する状態を示す図である。
【００２７】
図４において、表示部Ａを有する汎用品である表示装置１０３ａと、表示部Ｂを有する特殊品である表示装置１０３ｂとに対して、コントローラ１０１が初期化を実行する。そして、コントローラ１０１の外部には、表示部Ｂの情報１０８と、表示部ＢのＥＤＩＤ情報に相当する情報１０９を格納する外部メディア１０７が設けられている。
【００２８】
表示部の初期化を実行する際、ＢＩＯＳ１０４は、外部メディア１０７に対して、表示装置１０３ｂの情報と、表示装置１０３ｂのＥＤＩＤ情報に相当する情報とを要求する（ステップＳ１９）。外部メディア１０７に格納されている表示装置１０３ｂの情報１０８に基づいて、表示装置１０３ｂのＥＤＩＤ情報に相当する情報１０９が外部メディア１０７からＢＩＯＳ１０４に応答される（ステップＳ２０）。そうすると、ＢＩＯＳ１０４は、外部メディア１０７から応答された情報を元に表示装置１０３ｂの初期化を実行することができる（ステップＳ１８）。
【００２９】
次に、表示装置１０３ａの初期化を実行する際、ＢＩＯＳ１０４は、外部メディア１０７に対して、表示装置１０３ａの情報と、表示装置１０３ａのＥＤＩＤ情報に相当する情報とを要求する（ステップＳ１９）。外部メディア１０７に格納されている表示装置１０３ａの情報１０８に基づいて、表示装置１０３ａのＥＤＩＤ情報に対応する情報１０９が外部メディア１０７からＢＩＯＳ１０４に応答される（ステップＳ２０）。そうすると、ＢＩＯＳ１０４は、外部メディア１０７から応答された情報を元に表示装置１０２ａの初期化を実行することができる（ステップＳ１７）。
【００３０】
なお、図４に示した方法では、外部メディア１０７に格納する表示装置のＥＤＩＤ情報に相当する情報１０９を、表示装置の情報１０８に応じて書き換えることにより、他の種類の表示装置に対しても初期化を実行することができる。表示装置のＥＤＩＤ情報に相当する情報１０９を格納できる表示装置の種類の数の上限は、外部メディア１０７の記憶容量に依存するものの、実使用上問題とならない種類の表示装置を判別することが可能となる。
【００３１】
ただ、図４に示した方法では、外部メディア１０７を使用することにより、情報処理装置のコントローラ１０１における外部メディアを接続するためのスロットや接続ポートが、当該外部メディア１０７に占有されてしまうことになる。よって、外部メディア１０７によるコントローラ１０１のスロット等の占有が継続することに対し不満を抱いてしまうユーザが存在する可能性がある。
【００３２】
この状況を回避するため、ＢＩＯＳ１０４内に、前回初期化を実行したＥＤＩＤ情報、すなわち、直近に初期化を実行したＥＤＩＤ情報に相当する情報１０６を保持するようにしている。これにより、スロット等に外部メディア１０７が接続されていない場合、又は、外部メディア１０７内に表示装置のＥＤＩＤ情報に相当する情報１０９が格納されていない場合にも対応することができる。この場合、前回初期化を実行したＥＤＩＤ情報に相当する情報１０６を用いて初期化を実行することが可能となる。
【００３３】
ただし、この場合でも、接続される可能性のある表示装置の種類の分だけ表示装置のＥＤＩＤ情報に相当する情報１０９を保持しておく必要はなく、前回初期化を実行した表示装置のＥＤＩＤ情報に相当する情報１０９の１種類だけ保持しておけば良い。例えば、コントローラ１０１を初めて起動する際、外部メディア１０７が接続されておらず、かつ、前回初期化を実行したＥＤＩＤ情報に相当する情報１０６も存在しないときは、以下のような処理を行う。すなわち、暫定的に、最低解像度となるＥＤＩＤ情報に相当する情報を用いて表示装置の初期化を実行する。その後、表示装置の種類に適合するＥＤＩＤ情報に相当する情報が格納された外部メディア１０７を用いて表示装置の初期化を実行するようユーザに注意喚起するようにすれば良い。
【００３４】
他の実施形態として、外部メディア１０７に複数種類の表示装置に対応するＥＤＩＤ情報を複数格納しておき、表示装置の初期化を実行する際、ユーザからの指示により、当該表示装置に対応するＥＤＩＤ情報（例えば、解像度等）を選択させるようにしても良い。この例について図５を用いて説明する。図５は、外部メディアに複数の表示装置にそれぞれ対応する複数のＥＤＩＤ情報に相当する情報を記憶しておき、初期化時にユーザに対して解像度を設定させる画面を表示する表示装置の状態を示す図である。
【００３５】
図５では、外部メディア１０７に、複数の表示装置のそれぞれに対応するＥＤＩＤ情報に相当する情報が格納されている。表示部の情報１１０が特に指定されておらず、表示部の情報１１０が無い場合、初期化を実行する際に、各ＥＤＩＤ情報に相当する情報に基づいて、表示装置に初期化画面を表示する。
【００３６】
ユーザが、表示装置に表示された矢印を、タッチ又はキー入力で指定することにより、順次異なる解像度を有する表示部Ａの解像度を示す画面１１２ａ、表示部Ｂの解像度を示す画面１１２ｂに切り替わり、好みの解像度を、ユーザ自身で設定することが可能となる。ユーザが解像度を決定すると、外部メディア１０７の表示部の情報１１０に、当該決定された表示部の情報が格納される。次回、表示装置の初期化を実行する際には、表示部の情報１１０が格納されているので、それに対応する表示装置のＥＤＩＤ情報に相当する情報を用いて表示装置の初期化を実行することができる。したがって、毎回解像度を設定する必要はなくなる。
【００３７】
ただし、不特定多数の人間がコントローラ１０１を操作することにより、外部メディア１０７に格納された表示部の情報１１０を自由に書き込み読み出し可能とすることは、管理上問題となる場合がある。そこで、他の実施形態として、外部メディア１０７に格納されている表示部の情報１１０を“無”に設定することも考えられる。表示部の情報１１０を“無”に設定するための条件として、例えば、コントローラ１０１のある特定のキー（これを、ＥＸキーという。）が押下された状態で主電源がオンされた場合に限り、表示部の情報１１０を“無”に設定できるような機能を設けるようにしても良い。
【００３８】
次に、本実施形態の情報処理装置の動作について図６を用いて説明する。図６は、本実施形態の情報処理装置の動作について説明するフロー図である。
【００３９】
図６において、まず、ステップＳ６０１の処理では、コントローラ１０１に外部メディア１０７が接続されているか否かが判断される。コントローラ１０１に外部メディア１０７が接続されている（ＹＥＳ）と判断されると、ステップＳ６０２の処理へ移行する。外部メディアが接続されていない（ＮＯ）と判断されると、ステップＳ６０８の処理へ移行する。
【００４０】
ステップＳ６０２の処理では、コントローラ１０１のＥＸキーが押下された状態でコントローラ１０１の主電源がオンされたか否かが判断される。主電源がオンされた（ＹＥＳ）と判断されると、ステップＳ６０６の処理へ移行する。ステップＳ６０６の処理では、上記したように、コントローラ１０１のＥＸキーが押下された状態でコントローラ１０１の主電源がオンされるのであるから、外部メディア１０７の表示部の情報１１０を“無”に設定する。
【００４１】
ステップＳ６０３の処理では、外部メディア１０７に表示装置のＥＤＩＤ情報に相当する情報が存在しているか否かが判断される。表示装置のＥＤＩＤ情報に相当する情報が存在している（ＹＥＳ）と判断されると、ステップＳ６０４の処理へ移行する。表示装置のＥＤＩＤ情報に相当する情報が存在していない（ＮＯ）と判断されると、ステップＳ６０８の処理へ移行する。
【００４２】
ステップＳ６０４の処理では、表示部の情報が設定されているか否かが判断される。表示部の情報が設定されている（ＹＥＳ）と判断されると、ステップＳ６０５の処理へ移行する。表示部の情報が設定されていない（ＮＯ）と判断されると、ステップＳ６０７の処理へ移行する。
【００４３】
ステップＳ６０５の処理では、外部メディア１０７の表示部の情報に対応するＥＤＩＤ情報に相当する情報に基づいて表示装置の初期化を実行する。ステップＳ６０７の処理では、表示部に複数の解像度を用いて表示を行い、ユーザによって選択された解像度に対応する表示部の情報に基づいて初期化を実行する。
【００４４】
ステップＳ６０８の処理では、前回初期化を実行したときのＥＤＩＤ情報に相当する情報が存在しているか否かが判断される。情報が存在している（ＹＥＳ）と判断されると、ステップＳ６０９の処理へ移行する。情報が存在していない（ＮＯ）と判断されると、ステップＳ６１０の処理へ移行する。
【００４５】
ステップＳ６０９の処理では、前回初期化を実行したときの表示装置のＥＤＩＤ情報に相当する情報に基づいて初期化を実行する。ステップＳ６１０の処理では、表示装置のＥＤＩＤ情報に相当する情報が格納されている適当な外部メディア１０７をコントローラ１０１に接続して初期化を実行するようユーザに対して警告を行う。
【００４６】
このように、本実施形態では、ＵＳＢ（Universal Serial Bus）メモリやＳＤ（Secure Digital）カードといった外部メディアに、表示装置の情報（判別情報）及び初期化に必要なＥＤＩＤ情報を保持させることとしている。これにより、表示装置からＥＤＩＤ情報を取得する処理が不要となる。また、表示装置の種類を判別するための特別な手段も不要となる。
【００４７】
なお、図６に示した本実施形態に係る情報処理装置の動作フローは、コンピュータ上のプログラムに実行させることもできる。すなわち、情報処理装置１００を構成するコントローラ（制御部）１０１に内蔵されているＣＰＵ（Central Processing Unit））が、ＲＯＭ１５２に格納されたプログラムをロードする。そして、プログラムの各処理ステップが順次実行されることによって行われる。
【００４８】
このように、本発明によれば、一般的な表示装置に格納されているＥＤＩＤ情報を一例とする表示装置の状態を設定する設定情報を保持していない表示装置であっても、簡単に表示装置の種類等の情報を判別するのである。そして、ＥＤＩＤ情報を一例とする表示装置の状態を設定する情報に基づいて表示装置の初期化を実行することが可能な情報処理装置、情報処理装置の制御方法、及びプログラムを得ることができる。
【００４９】
以上、これまで本発明の実施形態について説明してきたが、本発明の実施形態は上述した実施形態に限定されるものではない。すなわち、他の実施形態、追加、変更、削除等、当業者が想到することができる範囲内で変更することができ、何れの態様においても本発明の作用効果を奏する限り、本発明の範囲に含まれるものである。
【符号の説明】
【００５０】
１００    情報処理装置
１０１    コントローラ
１０２ａ、１０２ｂ、・・・、１０２ｎ    表示部
１０３ａ、１０３ｂ、・・・、１０３ｎ    表示装置
１０４    ＢＩＯＳ
１０５    表示部ＢのＥＤＩＤ情報に相当する情報
１０６    前回初期化時のＥＤＩＤ情報に相当する情報
１０７ａ、１０７ｂ、・・・、１０７ｎ    外部メディア
１０８、１１０    表示部の情報
１０９    表示部のＥＤＩＤ情報に相当する情報
１１１    表示部ＡのＥＤＩＤ情報に相当する情報
１１２ａ    表示部Ａの解像度を示す画面
１１２ｂ    表示部Ｂの解像度を示す画面
１１３    表示部ＢのＥＤＩＤ情報に相当する情報
１５１    ＨＤＤ
１５２    ＲＯＭ
１５３    ＲＡＭ
１５４    操作部
１５５    表示部
１５６    拡張ボード
【先行技術文献】
【特許文献】
【００５１】
【特許文献１】特開２０１３−１３０８２３号公報
【図１】
2016100713.tif 000003
【図２】
2016100713.tif 000004
【図３】
2016100713.tif 000005
【図４】
2016100713.tif 000006
【図５】
2016100713.tif 000007
【図６】
2016100713.tif 000008